(57)【特許請求の範囲】
【請求項１】
Ｘ線管と被検者を挟んで対向する固体平面受像器を有するＸ線透視撮影台において、Ｘ線管の焦点を被検者の体軸方向と直交する方向に回転させる駆動部と、前記固体平面受像器の端辺部のＸ線検出素子を用いた検出部、または端辺部に別個に設けられたＸ線を検知する検出部と、その検出部からの信号を受けてＸ線束が前記検出部位置を超えないように制限するＸ線用可動絞りとを備えることを特徴とするＸ線透視撮影台。
【発明の詳細な説明】
【０００１】
【発明の属する技術分野】
本発明は、Ｘ線透視撮影台に係わり、特に、Ｘ線の照射野を制御するＸ線用可動絞りに関する。
【０００２】
【従来の技術】
Ｘ線照射野を調整するために、Ｘ線透視撮影台のＸ線管の放射口に取り付けられるＸ線用可動絞りがある。このＸ線用可動絞りの役割は、被爆線量を低減することと画質を向上することである。Ｘ線透視撮影台は、図５に示すように、支持アーム３５で保持されたＸ線管３の放射口にＸ線用可動絞り４が取りつけられ、天板１に被検者２を載せて、天板１の背面にＸ線受像器としてイメージインテンシファイア５が取りつけられている。そして、全体が支持台３６に支持されている。
Ｘ線管３の焦点３ａからのＸ線は、Ｘ線用可動絞り４に設けられた左右前後のＸ線を制限する下羽根９、１０と線錐制限羽根７、８の２段の羽根によって、Ｘ線束１９となって被検者２の診断部位に照射される。被検者２の左側を撮像するときには、天板１を矢印Ａの方向に移動させ、被検者２の左側をイメージインテンシファイア５の受像部中心に位置させて、Ｘ線照射野の中心で撮像される。また、被検者２の右側を撮像するときは、天板１を矢印Ｂの方向に移動させて撮像される。
【０００３】
次に、Ｘ線用可動絞りの構造について図６を参照しながら説明する。鉛板を主材料とした線錐制御羽根７、８（上羽根ともいう）は、利用線錐を必要最小限のＸ線照射野に設定される。この羽根の駆動方法は、ギアとリンク機構による円弧運動、または、ワイヤーロープとプーリー及び平行に配置したシャフトによる平行運動の２つの方法があるが、前者は機構が簡素であり、後者は設定するＸ線照射野の精度が良い。この線錐制御羽根７、８に連動し、下羽根９、１０及び焦点外Ｘ線低減羽根１１、１２（奥羽根ともいう）が動作する。駆動には小型モータが使用される。下羽根９、１０は、散乱線の減少および可動絞りの漏れ線量低減に大きく寄与し、焦点外Ｘ線低減羽根１１、１２は、焦点外Ｘ線を効果的に低減させる羽根である。以上の３組の羽根の個々の性能はもちろんのこと、相互の幾何学的関係と組み立て寸法精度により総合性能が決定される。Ｘ線照射野の表示は、投光照準器１３から出た光がミラー１４、１５と線錐制限羽根７、８を通過して形成した光照射野を被検者２上で目視する方法と、線錐制限羽根７、８と連動する指針１６がＸ線照射野の目盛板１７を指示して開度を表示する２つの方法があり、Ｘ線を放射せずに確認することができる。ただし、投光照準器１３を備えないものもある。また、Ｘ線の線質を規定する総濾過を守るため、脱着可能な付加フィルタ１８などが備えられている。
【０００４】
【発明が解決しようとする課題】
従来のＸ線透視撮影台は以上のように構成されているが、Ｘ線管３とイメージインテンシファイア５、速写撮影装置（図示せず）などの受像系が、支持アーム３５を介して被検者２の体軸に対して直交方向に固定されているため、その方向の撮像エリアを変更するためには、被検者２を載せている天板１ごと移動させる必要がある。その時、気管支鏡や内視鏡を用いた術式を行っている場合、被検者２の体内にそれらの機材が挿入されたまま被検者を動かすことは、被検者にとって大変な負担になるという問題がある。また、無用な被爆を低減するために、イメージインテンシファイア５の視野サイズより、Ｘ線用可動絞り４に依る照射視野を小さく絞り込む検査を行う場合も、体軸と直交する方向の撮像エリアを変更する場合は、天板１を動かすので上記と同様のことが生じる。
【０００５】
本発明は、このような事情に鑑みてなされたものであって、気管支鏡や内視鏡を用いた術式等を行っている天板１上の被検者２に対しても、天板１の移動によって負担をかけることが無いようにし、最小限にＸ線用可動絞り４を絞り込んだ撮像エリアで、体軸に対して直交方向の検査を行うことができるＸ線透視撮影台を提供することを目的とする。
【０００６】
【課題を解決するための手段】
上記の目的を達成するため、本発明のＸ線透視撮影台は、Ｘ線管と被検者を挟んで対向する固体平面受像器を有するＸ線透視撮影台において、Ｘ線管の焦点を被検者の体軸方向と直交する方向に回転させる駆動部と、前記固体平面受像器の端辺部のＸ線検出素子を用いた検出部、または端辺部に別個に設けられたＸ線を検知する検出部と、その検出部からの信号を受けてＸ線束が前記検出部位置を超えないように制限するＸ線用可動絞りとを備えるものである。
また、本発明のＸ線透視撮影台は、Ｘ線管の焦点を被検者の体軸方向と直交する方向に回転させる駆動部と、Ｘ線管の焦点の回転角度情報を取込みＸ線管から照射されるＸ線束が前記固体平面受像器の端辺部を超えないように演算する制御部と、その制御部からの信号で動作するＸ線用可動絞りとを備えるものである。
【０００７】
本発明のＸ線透視撮影台は上記のように構成されており、受像装置としてフラットパネルの固体平面受像器を備え、その端辺部にＸ線を検知する検出部を設けて、Ｘ線管が被検者の体軸方向に対して直行する方向に回転することができ、Ｘ線用可動絞りの羽根を前記検出器の信号によって制御し、その端辺部を超えないように受像面の内側方向のみにＸ線が制限されて検査を行うことができる。
また、本装置は、固体平面受像器の端辺部にＸ線を検知する検出部を設けなくても、Ｘ線管の焦点の回転角度情報から制御部で演算して、Ｘ線用可動絞りの羽根を前記制御部の信号によって制御し、固体受像器の端辺部を超えないように受像面の内側方向のみにＸ線が制限されて検査を行うことができる。
そのため被検者を動かすことをせずに、必要な最小照射視野で被爆線量も低減でき、被検者にやさしく検査を行うことができる。
【０００８】
【発明の実施の形態】
本発明のＸ線透視撮影台の一実施例を図１、図２、図３を参照しながら説明する。図１は本発明のＸ線透視撮影台のＸ線管３を、その焦点を中心に被検者２の体軸方向と直交する面で回転したときのＸ線束１９ａの状態を示す図である。図２はフラットパネル６の平面図を示す。図３は本装置のＸ線束１９ａを制御する制御機構のブロック図を示す。本装置は、Ｘ線管３と被検者２を挟んで対向するフラットパネル６を有するＸ線透視撮影台において、Ｘ線管３を被検者２の体軸方向と直交する面で回転駆動するＸ線管回転駆動部２６と、Ｘ線管３のＸ線放射口に取り付けられたＸ線用可動絞り４ａと、被検者２の透過Ｘ線像を受像するフラットパネル６の固体平面受像器と、そのフラットパネル６の端辺部に設けられたＸ線を検知する端辺検出器６ａと、端辺検出器６ａからの信号を受けて、Ｘ線用可動絞り４ａのＲ羽根３０及びＬ羽根２７を駆動するＲ羽根駆動部２８及びＬ羽根駆動部２７に制御すべき信号を送る制御部３１とから構成されている。
Ｘ線管回転駆動部２６は、Ｘ線管３を被検者２の体軸と直交する方向に回転駆動するもので、操作者が制御パネルの回転操作ハンドルを握って、観察モニタ上の被検者２の透視像を観察しながら、左または右に倒し、被検者２の左または右の目的部位にＸ線用可動絞りのＸ線像の中心を位置させる。Ｘ線管３の回転中心はＸ線管３の焦点とするが、焦点に限定しない。
Ｘ線用可動絞り４ａは、Ｘ線管３のＸ線放射口に取りつけられ、内部に図６に示す下羽根１０および線錐制限羽根７の右側の羽根に相当するＲ羽根３０と、左側に相当するＬ羽根２９が上下２段にわたって設けられている。各々上下羽根は連動するが、Ｒ羽根３０とＬ羽根２９は独立して駆動される。図３に示すように制御部３１からの信号によって、Ｒ羽根駆動部２８がＲ羽根３０を、Ｌ羽根駆動部２７がＬ羽根２９を駆動する。
フラットパネル６は、Ｘ線半導体素子がマトリックス状に配列された固体平面受像器で、中央に撮像部３２の撮像エリア３２ａを有し、四方端辺にＸ線に対する端辺検出器６ａが独立して設けられている。この端辺検出器６ａの領域にＸ線が入射すれば、端辺検出器６ａはその入射信号を制御部３１に出力する。
端辺検出器６ａは、フラットパネル６のマトリックス状に配列されたＸ線半導体素子を撮像部３２と端辺検出器６ａの領域に区分して、Ｘ線半導体素子の端辺部を検出器として使用する。または、撮像部３２のＸ線半導体素子とは独立した別の検出器で端辺検出器６ａを構成しても良い。
【０００９】
次に、本装置の動作を図３を参照しながら説明する。まず、被検者２を天板１に載せ、気管支鏡や内視鏡を被検者２の口腔から挿入し観察する。そして、目的とする部位を確認するために、被検者２を動かさずにその状態で、Ｘ線透視を行う。その時、目的とする部位が被検者２の左右どちらかの側部に近いところであれば、操作者は制御パネルのハンドルを握り、Ｘ線管３を被検者２の体軸と直交する面で回転させる。その時Ｘ線照射野の端が撮像部３２の端辺に設けられた端辺検出器６ａにかかれば、端辺検出器６ａは制御部３１に信号を出し、その信号によってＲ羽根駆動部２８、またはＬ羽根駆動部２７が駆動して、Ｒ羽根３０、またはＬ羽根２９を移動させる。端辺検出器６ａからの信号が無くなるまで、Ｒ羽根３０、またはＬ羽根２９が中心方向に移動する。さらに操作ハンドルで、目的部位の大きさにより、制御されていない側の羽根を開けたり閉じたりすることができる。これにより、最小限の必要なＸ線照射野で撮像することができる。
【００１０】
上記の実施例ではフラットパネル６の端辺に端辺検出器６ａを設けて、その信号でＸ線用可動絞り４ａのＲ羽根３０、または、Ｌ羽根２９を閉じたりしていたが、Ｘ線管３の回転角度を検出し、幾何学的にその回転角度とＸ線用可動絞り４ａの照射範囲との関係から、Ｘ線束１９ａがフラットパネル６の撮像部３２を超えないように制御する方法がある。図４にその制御を説明するためのブロック図を示す。本装置は、Ｘ線管３を回転させるためのＸ線管回転駆動部２６と、Ｘ線管回転駆動部２６からＸ線管３の回転角度を検出し、所定の演算をして、Ｒ羽根駆動部２８及びＬ羽根駆動部２７に、Ｒ羽根３０及びＬ羽根２９が移動する演算値を送る制御部３１ａから構成されている。
上記の制御部３１ａでの演算は次の式で行なわれる。Ｘ線管回転角をθ、フラットパネル６の中心からＸ線放射中心までの距離をＸとすると、Ｘ＝（焦点パネル間距離３３）×Ｔａｎθとなる。そして、Ｒ羽根３０の開口度＝（中心端辺間距離３４）−Ｘとなる。また、次ぎの演算でも行うことができる。ＴａｎθＦ＝（中心端辺間距離３４）／（焦点パネル間距離３３）とすると、Ｒ羽根３０の開口度＝θＦ−θとなる。
制御部３１を用いる機構では、撮像部３２の端辺検出器６ａの信号を受けて、Ｒ羽根駆動部およびＬ羽根駆動部に駆動する信号を変換するだけで良いが、制御部３１ａを用いる機構では、端辺検出器６ａは不要であるが、演算機能を必要とする。
【００１１】
【発明の効果】
本発明のＸ線透視撮影台は上記のように構成されており、Ｘ線管が被検者の体軸方向に対して直交する方向に焦点を中心にして回転することができるので、被検者および被検者を載せている天板を動かすことなく、体軸に対して直行方向にＸ線の照射範囲を変化させることが可能となる。そのため、気管支鏡や内視鏡を用いた術式を行っている時、被検者の体内にそれらの機材が挿入されたままの状態で、被検者を動かすことなく検査を実施することができる。さらに、フラットパネル受像面の任意の端辺周囲に対してＸ線が照射されたときには、その端辺よりフラットパネルの内側にＸ線の照射が制限されるため、Ｘ線束の絞られ方に関わらずＸ線照射が受像面を越えることがないので、不要なＸ線被爆を避けることができる。
【図面の簡単な説明】
【図１】  本発明のＸ線透視撮影台の一実施例を示す図である。
【図２】  本発明のＸ線透視撮影台の固体平面受像器を示す図である。
【図３】  本発明のＸ線透視撮影台の照射されるＸ線束を制限する機構を説明するための図である。
【図４】  本発明のＸ線透視撮影台の照射されるＸ線束を制限する他の機構を説明するための図である。
【図５】  従来のＸ線透視撮影台を示す図である。
【図６】  Ｘ線用可動絞りを説明するための図である。
【符号の説明】
１…天板                            ２…被検者
３…Ｘ線管                          ３ａ…焦点
４…Ｘ線用可動絞り                  ５…イメージインテンシファイア
６…フラットパネル                  ６ａ…端辺検出器
７…線錐制限羽根                    ８…線錐制限羽根
９…下羽根                        １０…下羽根
１１…焦点外Ｘ線低減羽根            １２…焦点外Ｘ線低減羽根
１３…投光照準器                    １４…ミラー
１５…ミラー                        １６…指針
１７…目盛板                        １８…付加フィルタ
１９…Ｘ線束                        １９ａ…Ｘ線束
２０…十字板                        ２１…取付リング
２２…リング                        ２３…ガード
２４…つまみ                        ２５…ケース
２６…Ｘ線管回転駆動部              ２７…Ｌ羽根駆動部
２８…Ｒ羽根駆動部                  ２９…Ｌ羽根
３０…Ｒ羽根                        ３１…制御部
３１ａ…制御部                      ３２…撮像部
３２ａ…撮像エリア                  ３３…焦点パネル間距離
３４…中心端辺間距離                ３５…支持アーム
３６…支持台
【図１】
0004273594.tif 000002
【図２】
0004273594.tif 000003
【図３】
0004273594.tif 000004
【図４】
0004273594.tif 000005
【図５】
0004273594.tif 000006
【図６】
0004273594.tif 000007